(57)【特許請求の範囲】
【請求項１】
電池と充電インタフェースとを含み、
前記充電インタフェースを介し、電源アダプターから充電電流を導入して、前記電池を充電する端末であって、
前記充電インタフェースを介して前記電源アダプターと双方向の通信を行い、前記端末の充電モードを決定する通信ユニットを更に含み、
前記充電モードは、普通充電モードと、第一急速充電モードと、第二急速充電モードと、を含み、
前記第一急速充電モードでの充電電流が前記普通充電モードでの充電電流より高く、
前記第二急速充電モードでの充電電圧が前記普通充電モードでの充電電圧より高い端末。
【請求項２】
前記第一急速充電モードでの充電電流は、２．５Ａより大きい、請求項１に記載の端末。
【請求項３】
前記第二急速充電モードでの充電電圧は、９Ｖ又は１２Ｖである、請求項１に記載の端末。
【請求項４】
前記電源アダプターと端末との間の充電ケーブルが支持する充電モードを認識する認識ユニットを更に含み、
前記通信ユニットは、前記認識ユニットにより認識された前記充電ケーブルが支持する充電モードに基づいて、前記端末の充電モードを決定する、請求項１に記載の端末。
【請求項５】
前記認識ユニットは、具体的に、
前記充電ケーブルにおける制御チップに識別子を送信し、前記制御チップから返信されたフィードバック・コードを受信し、前記フィードバック・コードが正しいか否かを判断し、
前記フィードバック・コードが正しい場合、前記充電ケーブルが急速充電モードを支持すると決定し、
前記フィードバック・コードが正しくない場合、前記充電ケーブルが急速充電モードを支持しないと決定する、請求項４に記載の端末。
【請求項６】
前記充電モードは、普通充電モードと、急速充電モードと、を含み、
前記急速充電モードでの充電電流が前記普通充電モードでの充電電流より高く、
前記通信ユニットは、具体的に、
前記通信ユニットと前記端末とが決定した充電モードが前記急速充電モードであり、且つ前記充電ケーブルが前記急速充電モードを支持する場合、最終的な充電モードが急速充電モードであると決定し、
そうでない場合、最終的な充電モードが普通充電モードであると決定する、請求項４又は５に記載の端末。
【請求項７】
前記電池は、電子チップの電圧値／電流値を検出し、前記端末に検出された前記電圧値／電流値を送信する検出ユニットを含む、請求項１乃至６のいずれかに記載の端末。
【請求項８】
前記電池は、第一過電圧保護ユニットと、第二過電圧保護ユニットと、を含み、
前記第二過電圧保護ユニットは、前記第一過電圧保護ユニットが失効され、且つ前記電池内における電子チップが定格電圧より高い場合、前記電子チップの両端の電圧を切る、請求項１乃至７のいずれかに記載の端末。
【請求項９】
電力変換ユニットと、充電インタフェースと、を含み、前記電力変換ユニットが前記充電インタフェースを介して端末を充電する電源アダプターであって、
前記充電インタフェースを介して前記端末と双方向の通信を行うことにより、前記端末が充電モードを決定する通信ユニットと、
前記端末により決定された充電モードに基づいて、前記電力変換ユニットの出力電圧及び／又は出力電流を制御する電圧制御ユニット及び／又は電流制御ユニットと、を更に含み、
前記充電モードは、普通充電モードと、第一急速充電モードと、第二急速充電モードと、を含み、
前記電源アダプターは、前記第一急速充電モードでの充電電流が前記普通充電モードでの充電電流より高く、
前記電源アダプターは、前記第二急速充電モードでの充電電圧が前記普通充電モードでの充電電圧より高い、電源アダプター。
【請求項１０】
前記電源アダプターは、前記第一急速充電モードでの充電電流は２．５Ａより大きく、又は、
前記電源アダプターの定格出力電流は２．５Ａより大きい、請求項９に記載の電源アダプター。
【請求項１１】
前記電源アダプターは、前記第二急速充電モードでの充電電圧が９Ｖ又は１２Ｖであり、または、前記電源アダプターの定格出力電圧は５Ｖ、９Ｖ及び／又は１２Ｖである、請求項９に記載の電源アダプター。
【請求項１２】
前記電流制御ユニットは、前記端末が決定した充電モードが前記第一急速充電モードである場合、前記電力変換ユニットの出力電流を、前記第一急速充電モードに対応する充電電流に調整し、
前記電圧制御ユニットは、前記端末が決定した充電モードが前記第二急速充電モードである場合、前記電力変換ユニットの出力電圧を前記第二急速充電モードに対応する充電電圧に調整する、請求項９乃至１１のいずれかに記載の電源アダプター。
【請求項１３】
前記電源アダプターの充電インタフェースは、前記電源アダプターと前記端末とを接続する充電ケーブルと、分離式で設計されている、請求項９乃至１２のいずれかに記載の電源アダプター。
【請求項１４】
前記充電インタフェースと前記充電ケーブルとの間は、ＵＳＢ  Ａ型のインタフェースで接続する請求項１３に記載の電源アダプター。
【発明の詳細な説明】
【技術分野】
【０００１】
本発明は、充電分野に関し、具体的には電源アダプター及び端末に関する。
【背景技術】
【０００２】
現在、スマートフォンは益々消費者に歓迎されているが、スマートフォンは、消費電力が大きく、通常的に頻繁に充電する必要がある。スマートフォンの電池容量が益々高くになる伴い、対応的に充電時間も長くなっている。如何に急速充電できるかは、現在、解決することが急務となっている。
【０００３】
従来技術においては、急速充電の目的を達成するために、通常、スマートフォンの負荷能力を考慮せず、直接に電源アダプターの出力電流又は出力電圧を大きくしている。このため、スマートフォンに過熱や燃焼等の現象が生じ、スマートフォンの寿命が短くなる。
【発明の概要】
【０００４】
本発明の一実施例は、電源アダプターの出力電流又は出力電圧を盲目的に大きくすることで、スマートフォンが過熱する現象を有効に回避することができる電源アダプター及び端末を提供する。
【０００５】
第１形態によれば、電池と充電インタフェースとを含む端末を提供し、前記端末は、前記充電インタフェースを介し、電源アダプターから充電電流を導入して、前記電池を充電する。前記端末は、前記充電インタフェースを介して前記電源アダプターと双方向通信することにより、前記端末の充電モードを決定する通信ユニットを更に含む。
【０００６】
第１形態に組み合わせ、第１形態における一つの実現方式において、前記充電モードは、普通充電モードと、第一急速充電モードと、を含み、前記電源アダプターは、前記第一急速充電モードでの充電電流が前記普通充電モードでの充電電流より高い。
【０００７】
第１形態又は上記実現方式のいずれかを組み合わせ、第１形態における別の実現方式において、前記第一急速充電モードでの充電電流は、２．５Ａより大きい。
【０００８】
第１形態又は上記実現方式のいずれかを組み合わせ、第１形態における別の実現方式において、前記充電モードは、普通充電モードと、第二急速充電モードと、を含み、前記第二急速充電モードでの充電電圧が前記普通充電モードでの充電電圧より高い。
【０００９】
第１形態又は上記実現方式のいずれかを組み合わせ、第１形態における別の実現方式において、前記第二急速充電モードでの充電電圧は、９Ｖ又は１２Ｖである。
【００１０】
第１形態又は上記実現方式のいずれかを組み合わせ、第１形態における別の実現方式において、前記充電モードは、普通充電モードと、第一急速充電モードと、第二急速充電モードと、を含み、前記第一急速充電モードでの充電電流が前記普通充電モードでの充電電流より高く、前記第二急速充電モードでの充電電圧が前記普通充電モードでの充電電圧より高い。
【００１１】
第１形態又は上記実現方式のいずれかを組み合わせ、第１形態における別の実現方式において、前記電源アダプターと端末の間の充電ケーブルが支持する充電モードを認識する認識ユニットを更に含む。更に、前記通信ユニットは、前記認識ユニットにより認識された前記充電ケーブルが支持する充電モードにより、前記端末の充電モードを決定する。
【００１２】
第１形態又は上記実現方式のいずれかを組み合わせ、第１形態における別の実現方式において、具体的に、前記認識ユニットの用途は以下のようである。前記充電ケーブルにおける制御チップに識別子を送信し、前記制御チップから返信されたフィードバック・コードを受信し、前記フィードバック・コードの正しさを判断する。前記フィードバック・コードが正しいと判断された場合、前記充電ケーブルが急速充電モードを支持すると決定し、前記フィードバック・コードが正しくないと判断された場合、前記充電ケーブルが急速充電モードをサポートしないと決定する。
【００１３】
第１形態又は上記実現方式のいずれかを組み合わせ、第１形態における別の実現方式において、前記充電モードは、普通充電モードと、急速充電モードとを含み、前記急速充電モードでの充電電流が、前記普通充電モードでの充電電流より高く、具体的に、前記通信ユニットは、前記通信ユニットと前記端末とが決定した充電モードが前記急速充電モードであり、且つ前記充電ケーブルが前記急速充電モードを支持する場合、最終的な充電モードが急速充電モードと決定され、そうでない場合には、最終的な充電モードが普通充電モードであると決定される。
【００１４】
第１形態又は上記実現方式のいずれかを組み合わせ、第１形態における別の実現方式において、前記電池は、電子チップの電圧値／電流値を検出し、前記端末に検出された前記電圧値／電流値を送信する検出ユニットを含む。
【００１５】
第１形態又は上記実現方式のいずれかを組み合わせ、第１形態における別の実現方式において、前記電池は、第一過電圧保護ユニットと、第二過電圧保護ユニットと、さらに含む。前記第二過電圧保護ユニットは、前記第一過電圧保護ユニットが失効され且つ前記電池内における電子チップが定格電圧より高い場合、前記電子チップ両端の電圧を切る。
【００１６】
第２形態によると、パワー変換ユニットと、充電インタフェースと、を含む電源アダプターを提供し、前記パワー変換ユニットは、前記充電インタフェースを通じて端末を充電する。前記電源アダプターは、前記端末が充電モードを決定するように、前記充電インタフェースを介して前記端末と双方向通信する通信ユニットと、前記端末により決定された充電モードにより、前記パワー変換ユニットの出力電圧及び／又は出力電流を制御する電圧制御ユニット及び／又は電流制御ユニットと、を更に含む。
【００１７】
第２形態に組み合わせ、第２形態における別の実現方式において、前記充電モードは、普通充電モードと、第一急速充電モードと、を含み、前記電源アダプターは、前記第一急速充電モードでの充電電流が前記普通充電モードでの充電電流より高い。
【００１８】
第２形態又は上記実現方式のいずれかを組み合わせ、第２形態における別の実現方式において、前記電源アダプターが前記第一急速充電モードでの充電電流は２．５Ａより大きい、又は、前記電源アダプターの定格出力電流は２．５Ａより大きい。
【００１９】
第２形態又は上記実現方式のいずれかを組み合わせ、第２形態における別の実現方式において、前記充電モードは、普通充電モードと、第二急速充電モードと、を含み、前記電源アダプターは、前記第二急速充電モードでの充電電圧が前記普通充電モードでの充電電圧より高い。
【００２０】
第２形態又は上記実現方式のいずれかを組み合わせ、第２形態における別の実現方式において、前記電源アダプターは、前記第二急速充電モードでの充電電圧が９Ｖ又は１２Ｖであり、または、前記電源アダプターの定格出力電圧が５Ｖ、９Ｖ及び／又は１２Ｖである。
【００２１】
第２形態又は上記実現方式のいずれかを組み合わせ、第２形態における別の実現方式において、前記充電モードは、普通充電モードと、第一急速充電モードと、第二急速充電モードと、を含み、前記電源アダプターは、前記第一急速充電モードでの充電電流が前記普通充電モードでの充電電流より高く、前記電源アダプターは、前記第二急速充電モードでの充電電圧が前記普通充電モードでの充電電圧より高い。前記電流制御ユニットは、前記端末が決定した充電モードが前記第一急速充電モードである場合、前記パワー変換ユニットの出力電流を、前記第一急速充電モードに対応する充電電流に調整し、前記電圧制御ユニットは、前記端末が決定した充電モードが前記第二急速充電モードである場合、前記パワー変換ユニットの出力電圧を前記第二急速充電モードに対応する充電電圧に調整する。
【００２２】
第２形態又は上記実現方式のいずれかを組み合わせ、第２形態における別の実現方式において、前記電源アダプターの充電インタフェースは、前記電源アダプターと前記端末とを接続する充電ケーブルと、分離式でデザインされる。
【００２３】
第２形態又は上記実現方式のいずれかを組み合わせ、第２形態における別の実現方式において、前記充電インタフェースは、前記充電ケーブルとの間に、ＵＳＢ  Ａ型のインタフェースで接続する。
【００２４】
本発明の実施例において、電源アダプターは、通信ユニットを通じて端末と充電モードを取り決め、通信ユニットで決定された充電モードにより、電源アダプターの出力電圧／出力電流を制御することで、盲目的に電源アダプターの電圧又は電流を増加することで発生するスマートフォンの過熱や燃焼等の現象を有効に回避することができる。
【図面の簡単な説明】
【００２５】
本発明の実施例の技術案をより明慮に説明するために、以下に、本発明の実施例において必要となる図面について簡単に説明する。明らかに、以下に説明された図面は単に本発明のいくつの実施例だけであり、当業者にとって、進歩性に値する労働をしないという前提で、これらの図面によりほかの図面を得られる。
【図１】本発明の実施例の端末の模式的なブロック図である。
【図２】本発明の実施例の電源アダプターの模式的なブロック図である。
【図３】本発明の実施例の急速充電システムの構造を示す例示図である。
【図２】ケーブルの構造の模式図である。
【発明を実施するための形態】
【００２６】
以下に、本発明の実施例における図面を組み合わせ、本発明の実施例における技術案について明慮で完全に説明する。明らかに、説明された実施例は本発明の一部の実施例だけであり、全部の実施例ではない。本発明の実施例に基づき、当業者は進歩性に値する労働をしないという前提で得られた他の全ての実施例は、全て本発明の保護範囲に属すべきである。
【００２７】
図１は本発明の実施例の端末の模式的なブロック図である。図１に示された端末１００は、電池１１０と、充電インタフェース１２０と、を含み、前記端末１００は、前記充電インタフェース１２０を介して、電源アダプターから充電電流を導入し、前記電池１１０を充電する。前記端末１００は、通信ユニット１３０を更に含む。
【００２８】
前記通信ユニット１３０は、前記充電インタフェース１２０を介して前記電源アダプターと双方向通信し、前記端末１００の充電モードを決定する。
【００２９】
本発明の実施例において、電源アダプターは、通信ユニットを通じて、端末と充電モードを取り決め、通信ユニットで決定された充電モードにより電源アダプターの出力電圧／出力電流を制御することであり、盲目的に電源アダプターの電圧又は電流を増加することでスマートフォンに生じる過熱や燃焼等の現象を有効に回避することができる。
【００３０】
端末１００の充電インタフェース１２０は、Ｍｉｃｒｏ−ＵＳＢ  Ｂ型又はＴｙｐｅ−Ｃインタフェースの規格であってもよい。
【００３１】
更に、端末に対して、以下のような電気性能を要求することができる。充電インタフェースと、充電制御回路とは、自体のニーズに応じて正常かつ安全に充電できるものであって、充電プロセス全体において、端末の最高温度が５５℃以下であり、且つ、火災や爆発及び回路損傷の現象が発生しないもの。
【００３２】
また、端末内の充電制御回路は、過電圧保護装置があってもよく、充電電圧が１２Ｖより高い場合に（未定）、過電圧保護装置を作動させることができる。過電圧保護回路が作動する間に、吸収された電流が２０ｍＡ以下となることである。過電圧保護プロセスの全体において、端末の最高温度は５５℃以下であり、火災や爆発及び回路損傷の現象が発生してはいけない。回復後、端末は正常に動作することができるようにしなければならない。
【００３３】
また、急速充電機能を有する端末は、アダプターが急速充電の要求を満たすか否かを認識し、リアルタイムに充電プロセス全体を監視し、相応の充電モードを選択することができる。
【００３４】
好ましくは、一つの実施例として、前記充電モードは、普通充電モードと、第一急速充電モードと、を含む。そのうち、前記電源アダプターは、前記第一急速充電モードでの充電電流が前記普通充電モードでの充電電流より高い。
【００３５】
具体的に、第一急速充電モードは、電源アダプターの出力電流を高めることにより（例えば、２．５Ａより大きい）、端末の充電パワーとスピードとを高める充電方式であってもよい。電圧アダプターは、普通充電モードで、定格出力電圧が５Ｖであってもよく、定格出力電流は２．５Ａ以下であってもよい。
【００３６】
好ましくは、一つの実施例として、前記第一急速充電モードでの充電電流は、２．５Ａより大きく、例えば５Ａであり、許容差は±５％であってもよい。
【００３７】
好ましくは、一つの実施例として、前記充電モードは、普通充電モードと第二急速充電モードとを含み、前記第二急速充電モードでの充電電圧は、前記普通充電モードでの充電電圧より高いこととしてもよい。
【００３８】
具体的に、第二急速充電モードは、電源アダプターの出力電圧を高めることにより（例えば、９Ｖ又は１２Ｖ）、端末の充電パワーとスピードとを高める充電方式であってもよい。
【００３９】
好ましくは、実施列として、前記第二急速充電モードでの充電電圧は、９Ｖ又は１２Ｖであり、又は、電源アダプターの定格出力電圧は、５Ｖ、９Ｖ又は１２Ｖであり、許容差は±5％であってもよい。
【００４０】
好ましくは、一つの実施例として、前記第二急速充電モードでの充電電圧は、９Ｖ又は１２Ｖである。
【００４１】
好ましくは、一つの実施例として、前記充電モードは、普通充電モードと、第一急速充電モードと、第二急速充電モードと、を含み、前記第一急速充電モードでの充電電流が前記普通充電モードでの充電電流より高く、前記第二急速充電モードでの充電電圧が前記普通充電モードでの充電電圧より高くてもよい。
【００４２】
好ましくは、一つの実施例として、前記電源アダプターと端末１００との間の充電ケーブルによりサポートされる充電モードを認識するための認識ユニットを更に含む。更に、前記通信ユニットは、前記認識ユニットにより認識された前記充電ケーブルの支持する充電モードにより、前記端末１００の充電モードを決定する。
【００４３】
好ましくは、一つの実施例として、前記認識ユニットは、具体的に、識別子を前記充電ケーブルにおける制御チップに送信し、前記制御チップから返信されたフィードバック・コードを受信し、前記フィードバック・コードの正しさを判断する。前記フィードバック・コードが正しいと判断される場合、前記充電ケーブルが急速充電モードを支持すると決定される。前記フィードバック・コードが正しくないと判断される場合、前記充電ケーブルが急速充電モードをサポートしないと決定される。
【００４４】
好ましくは、一つの実施例として、前記充電モードは、普通充電モードと、急速充電モードと、を含み、前記急速充電モードでの充電電流が前記普通充電モードでの充電電流より高い。具体的に、前記通信ユニットは、前記通信ユニットと前記端末１００とが決定した充電モードが前記急速充電モードであり、また前記充電ケーブルが前記急速充電モードを支持する場合、最終的な充電モードが急速充電モードと決定し、そうでない場合、最終的な充電モードが普通充電モードであると決定する。
【００４５】
好ましくは、一つの実施例として、前記電池１１０は、電子チップの電圧値／電流値を検出し、検出された前記電圧値／電流値を前記端末１００に送信する検出ユニットを含む。
【００４６】
好ましくは、一つの実施例として、更に、前記電池１１０は、第一過電圧保護ユニットと第二過電圧保護ユニットとを含む。前記第二過電圧保護ユニットは、前記第一過電圧保護ユニットが失効されて且つ前記電池内における電子チップの電圧が定格電圧より高い場合、前記電子チップの両端の電圧を切る。
【００４７】
端末内における電池は、以下の機能や要求を満たす。
【００４８】
まず、電池は、リアルタイムに電子チップの電圧値と電流値（電圧と電流の偏差は、電子チップが許容される充電リミット値を超えない）を読み取り、且つ当該読み取られた値を、正確に端末に送信する機能を有する。
【００４９】
電池が充電するプロセスにおいて、各デバイスの温度上昇が１５℃を超えない。
【００５０】
電池の循環寿命は、温度上限と下限の条件で、急速充電寿命試験を５００回行った後、容量の保持率は８０％以上である。
【００５１】
実際の容量は、定格容量以上である。
【００５２】
ＧＢ３１２４１の要求を満たす。
【００５３】
電池は、電子チップが充電する場合に過電圧となることを防止するため、二重防護の過電圧保護機能を有する。電池の電子チップが定格電圧値より高い場合（定格電圧値＋０．１Ｖ、現在は４．４Ｖであるが、後続は決定できず、未定）、電池保護板の充電経路が自動的に切ることができ、過電圧保護メカニズムを作動する。
【００５４】
図２は本発明の実施例の電源アダプターの模式的なブロック図である。図２の電源アダプター２００は、パワー変換ユニット２１０と、充電インタフェース２２０と、を含み、前記パワー変換ユニット２１０は、前記充電インタフェースを介して端末を充電する。前記電源アダプター２２０は、以下のユニットを更に含む。
【００５５】
通信ユニット２３０であって、前記通信ユニット２３０は、前記端末が充電モードを決定するように、前記充電インタフェース２２０を通じて、前記端末と双方向通信する。
【００５６】
電圧制御ユニット及び／又は電流制御ユニット２４０であって、前記電圧制御ユニット及び／又は電流制御ユニット２４０は、前記端末により決定された充電モードにより、前記パワー変換ユニット２１０の出力電圧及び／又は出力電流を制御する。
【００５７】
本発明の実施例において、電源アダプターは、通信ユニットを通じて端末と充電モードを取り決め、通信ユニットにより決定された充電モードにより、電源アダプターの出力電圧／出力電流を制御することで、電源アダプターの電圧又は電流が盲目的に増加することにより生じるスマートフォンの過熱や燃焼等の現象を、有効に回避することができる。
【００５８】
好ましくは、一つの実施例として、前記充電モードは、普通充電モードと、第一急速充電モードと、を含み、前記電源アダプター２００は、前記第一急速充電モードでの充電電流が前記普通充電モードでの充電電流より高い。
【００５９】
好ましくは、一つの実施例として、前記電源アダプター２００は、前記第一急速充電モードでの充電電流が２．５Ａより大きい。または、前記電源アダプター２００の定格出力電流が、２．５Ａより大きい。
【００６０】
好ましくは、一つの実施例として、前記充電モードは、普通充電モードと、第二急速充電モードとを含み、前記電源アダプター２００は、前記第二急速充電モードでの充電電圧が前記普通充電モードでの充電電圧より高い。
【００６１】
好ましくは、一つの実施例として、前記電源アダプター２００は、前記第二急速充電モードでの充電電圧が、９Ｖ又は１２Ｖであり、又は、前記電源アダプター２００の定格出力電圧が、５Ｖ、９Ｖ及び／又は１２Ｖである。
【００６２】
好ましくは、一つの実施例として、前記充電モードは、普通充電モードと、第一急速充電モードと、第二急速充電モードと、を含む。前記電源アダプター２００は、前記第一急速充電モードでの充電電流が前記普通充電モードでの充電電流より高く、前記電源アダプター２００は、前記第二急速充電モードでの充電電圧が前記普通充電モードでの充電電圧より高い。前記電流制御ユニットは、前記端末により決定された充電モードが前記第一急速充電モードである場合、前記パワー変換ユニット２１０の出力電流を前記第一急速充電モードに対応する充電電流までに調整する。前記電圧制御ユニットは、前記端末により決定された充電モードが前記第二急速充電モードである場合、前記パワー変換ユニット２１０の出力電圧を前記第二急速充電モードに対応する充電電圧までに調整する。
【００６３】
好ましくは、一つの実施例として、前記電源アダプター２００の充電インタフェース２２０は、前記電源アダプター２００と前記端末とを接続する充電ケーブルと、分離式でデザインされる。
【００６４】
好ましくは、一つの実施例として、前記充電インタフェース２２０は、前記充電ケーブルとの間に、ＵＳＢ  Ａ型のインタフェースで接続する。
【００６５】
そのほか、電源アダプターのデザインは、以下のような電気性能の要求を満たすことができる。
【００６６】
【表１】
0006395871.tif 000002
【００６７】
【表２】
0006395871.tif 000003
【００６８】
どのような状況であっても、電源アダプターが電源に差し込んでいるか否かにも関わらず、端末から電源アダプターへ流れる電流が５ｍＡより以下である。
【００６９】
電源アダプターは、交流電源から電源アダプターを介して出力端口に到着の接触電流が、２０ｕＡを超えないべきである。
【００７０】
安全性能は、ＧＢ  ４９４３．１の要求を満たす。
【００７１】
また、急速充電電源アダプターは、急速充電データ線と検出インタフェースとの差し込みの異常を認識する機能を備えることができる。急速充電電源アダプターは、短路からの自動的な保護機能を有するべきである。故障が排除されたら、アダプターは、自動的に回復して作動することができるべきである。
【００７２】
また、電源アダプターのエネルギー効率にたいして、ある程度の指標要求を提出することができる。例えば、電源アダプターの実際の平均効率は、下記の式で計算された数値以上である。
【００７３】
平均効率≧０．０７５０*Ｌｎ（Ｐｎｏ）＋０．５６１
【００７４】
上式において、Ｐｎｏは電源アダプターの定格出力パワーである。即ち、定格出力電圧に定格出力電流をかけたものである。
【００７５】
無負荷エネルギー消費は、以下の要件を満たす：
【表３】
0006395871.tif 000004
【００７６】
そのほか、充電インタフェースの抜き差し力と抜き差し寿命は、下記の条件を満たす。
【００７７】
コネクタプラグとコネクタソケットとの間で抜き差しし、抜き差しのスピードが１２．５ｍｍ／ｍｉｎを超えない場合、コネクタプラグを完全にコネクタソケットに差し込む時の力は、３５Ｎ以下であり、コネクタプラグをコネクタソケットから完全に抜き出す時の力は、１０Ｎ以上である。
【００７８】
各一時間毎に２００周期の最大スピードで、３０００周期差し込み／抜き出しを行う。抜き差しが終わった後、機械構造が損傷されないように、コネクタプラグをコネクタソケットから完全に抜き出すために必要となる力は、８Ｎ以上である。
【００７９】
以下に、具体的な例を組み合わせ、より詳しく本発明の実施例を説明する。注意すべきことは、図３乃至図４に示された例は、単に、当業者に本発明の実施例を容易に理解させるためのものであり、本発明の実施例を例の具体的な数値や場面に限定するわけではない。当業者は、図３ー図４に示された例により、明らかに各種の等価補正や変化することができ、このような補正や変化も、本発明の実施例の範囲に属する。
【００８０】
急速充電システムブロックは、図３に示すように、モバイル端末（電池含み）と、急速充電ケーブルと、急速充電アダプターと、を含む。モバイル端末は、主に、電子チップ及びその保護回路と、急速充電電流制御回路モジュールと、通信制御モジュールと、充電インタフェースと、を含む。また、ケーブルに電源アダプターと端末とが認識用の暗号化回路モジュールが設けられる。具体的な実現方式は、メーカーにより規定される。急速充電アダプターは、充電インタフェースと、充電電圧制御モジュールと、電流制御モジュールと、通信モジュールと、データ線認識モジュールと、を含む。端末は、アダプターとハンドシェイク通信した後、両方が急速充電の機能要件及び適切な急速充電モードを満たすか否かを判断し、続いて、アダプターが対応の電圧と電流を提供して端末を充電させる。アダプターとケーブルとは、分離式なデザインを採用し、ＵＳＢ  Ａ型のインタフェースで接続する。
【００８１】
充電アダプターのデザインは、製品の縦方向の交換性と横方向の交換性を考慮してもよい。縦方向の交換性とは、急速充電アダプターが、ケーブルと端末とが急速充電の要求を満たすか否かを認識し、また、相応の充電モードを選択することができる。急速充電機能を有する端末は、アダプターが急速充電の要求を満たすか否かを認識し、相応の充電モードを選択することができることを指す。横方向の交換性とは、急速充電機能を有するアダプターが全ての急速充電機能を有する端末に相応の急速充電を提供することができ、急速充電機能を有する端末が全ての急速機能のアダプターを認識し、急速充電をすることができることを指す。
【００８２】
また、要件として、電源アダプターと端末との間のケーブルの構造や材料等を以下の要求又は指標を満たしてもよい。
【００８３】
１．ケーブル入力端は、ＵＳＢ  Ａ型の構造を採用すべきである。ケーブル出力端はＭｉｃｒｏ−ＵＳＢ  Ｂ型、又はＴｙｐｅ−Ｃインタフェースの規格でもよい。
【００８４】
接続ケーブルは、データ伝送と電力供給の兼用機能のために用いられる際、その構造が図４に示された（ＵＳＢ  Ａシリーズの接続ケーブルと同じ）要求を満たすべきである。接続ケーブルは、４つの導線で構成され、その中の２本は電源導線（∨ＢＵＳは、電源の正極であり、ＧＮＤは、電源の負極である）であり、他の２本（Ｄ＋、Ｄ−）は、信号導線である。
【００８５】
材料はＧＢ／Ｔ  ２２７２７．１の要件を満たすべきである。材料における多環芳香族炭化水素（ＰＡＨｓ）の含量は、２００ｍｇ／ｋｇより小さく、ベンゾピレンは２０ｍｇ／ｋｇより小さいのが好ましい。
【００８６】
材料は、ポリエチレン（ＰＥ）又はよりもよい材料とする。
【００８７】
接続ケーブルの長さは、２００ｃｍ以下である。
【００８８】
ケーシングは、完全に遮蔽された電源や信号線ペアを囲み、且つ錫引き銅線の外部遮蔽層と直接に接続すべきである。
【００８９】
電圧上昇急速充電を支持するためのケーブルは、その最大抵抗値は０．２３２Ω／ｍ以下である。
【００９０】
電流上昇急速充電を支持するためのケーブルは、その最大抵抗値は０．１Ω／ｍ以下である。
【００９１】
ＵＳＢ  Ａ型とＭｉｃｒｏ−ＵＳＢ  Ｂ型の接続インタフェースの絶縁抵抗値は、１０００ＭΩ以上である。
【００９２】
ＵＳＢ  Ａ型の接続インタフェースの絶縁材料は、交流電圧を耐える有効値が５００Ｖであり、Ｍｉｃｒｏ−ＵＳＢ  ＢB型の接続インタフェースの絶縁材料は、交流電圧を耐える有効値が１００Ｖである。持続時間が１ｍｉｎの耐圧試験において、ブレイクダウン、発火やフラッシュオーバー現象は生じない。電気漏洩は０．５ｍＡを超えない。
【００９３】
ケーブル（コネクタ部分を含まない）の絶縁材料の難燃性は、Ｖ−１レベル又はこれよりよいレベルまで達する。
【００９４】
コネクタプラグとコネクタソケットとの間で抜き差しし、抜き差しのスピードが１２．５ｍｍ／ｍｉｎを超えない場合、コネクタプラグを完全にコネクタソケットに差し込む時の力は３５Ｎ以下であり、コネクタプラグを完全にコネクタソケットから抜き出す時の力は１０Ｎ以上である。
【００９５】
一時間毎に２００周期の最大スピードで、３０００周期差し込み／抜き出しを行う。抜き差しが終わった後、機械構造を損傷しないようコネクタプラグをコネクタソケットから完全に抜き出すと、８Ｎ以上の力が必要となる。
【００９６】
当業者は、本文に開示された実施例を組み合わせて説明した各例のユニットやアルゴリズムのステップが、電子ハードウェアにより、又はコンピュータソフトウェアと電子ハードウェアとの組み合わせにより実現することができるということに気付くであろう。これらの機能は、ハードウェアで実行するか、それともソフトウェアで実行するかは、技術案の特定のアプリケーションおよび設計の制約に依存する。当業者は、特定のアプリケーション毎に、異なる方法で上記説明の機能を実現することができる。ただし、この実現は本発明の範囲を超えない。
【００９７】
説明を便利かつ簡潔とするため、上記のシステムと、装置と、ユニットとの具体的なプロセスは、前記方法実施例に対応するプロセスを参照することで、ここでの説明を省略する。
【００９８】
本発明が提供したいくつの実施例から理解されるのは、記載されたシステムと、装置と方法とが、他の方式で実現することができることである。例えば、上記説明された装置の実施例は、単に概略的なものである。例えば、前記ユニットの分割は、単に論理機能の分割であり、実際に実現する時、他の分割方式があってもよい。例えば、復数のユニットやアセンブリーを別のシステムに組み合わせ又は集積したり、又はいくつの特徴を無視したり、実行しないようにしたりすることができる。更に、表示又は検討されたお互いのカップリング又は直接的なカップリングや通信接続は、いくつのインタフェースと、装置と、又はユニットとを介する間接カップリング又は通信接続であり、電気、機械又は他の形であってもよい。
【００９９】
前記分離デバイスとして説明されたユニットは、物理上分離したものでも、物理上分離しないものでも構わない。また、ユニット表示のデバイスとして、物理ユニットでも物理ユニットでないものでも構わない。即ち、同じ個所に位置してもよく、また、復数のネットワークユニットに配置されても構わない。実際のニーズに応じてそのうちから一部又は全部ユニットを選択して本実施例の技術案の目的を達成する。
【０１００】
なお、本発明の各実施例における各機能ユニットは一つの処理ユニットに集約してもよいが、各ユニットそれぞれ物理的に独立したものであってもよく、更に、二つや二つ以上のユニットを一つのユニットに集約してもよい。
【０１０１】
前記機能はソフトウェア機能ユニットの形で実現し且つ独立な製品として販売又は使用される場合、一つのコンピュータ読み取り可能な記憶媒体に記憶してもよい。このような理解に基づき、本発明の技術案の本質上又は従来技術に対する貢献する部分や当該技術案の部分はソフトウェアの形で表すことができ、当該コンピュータソフトウェア製品は一つの記憶媒体に記憶し、一つのコンピュータ機械（パーソナル・コンピュータや、サーバ、ネットワーク機械等）が本発明の各実施例に記載の前記方法の全部又は一部のステップを実行するための、いくつ指令を含む。前記の記憶媒体は、ＵＳＢと、モバイルハードディスクと、リードオンリーメモリ（ＲＯＭ、Ｒｅａｄ  Ｏｎｌｙ  Ｍｅｍｏｒｙ）と、ランダム・アクセス・メモリ（RＡＭ、Ｒａｎｄｏｍ  Ａｃｃｅｓｓ  Ｍｅｍｏｒｙ）と、ディスク又はＣＤ等様々な記憶プログラムコードの媒体を含む。
【０１０２】
上記のものは、単に本発明を実施するための形態であり、本発明の保護範囲はそれを限定せず、該分野に詳しい当業者のいずれかが本発明に記載の技術範囲内で容易に想到し得られる変化又は代替は、本発明の保護範囲に属するべきである。従って、本発明の保護範囲は前記特許請求の範囲を基準にするべきである。
【図１】
0006395871.tif 000005
【図２】
0006395871.tif 000006
【図３】
0006395871.tif 000007
【図４】
0006395871.tif 000008